(57)【要約】      （修正有）【課題】プローブカバーを自動的に取り外し可能な体温計を提供する。【解決手段】体温計１００は、本体１１０と、プローブ１２０と、制御機構１３０とを備える。本体１１０は把持部１１２と、把持部１１２の一方側に設けられる当接面１１４とを備える。プローブ１２０は回動可能に本体に結合されており、プローブ１２０はプローブ本体１２２と、裾部１４２を含むプローブカバー１４０を固定するために、プローブ本体１２２に設けられる固定構造１２４とを備える。制御機構１３０は、プローブ１２０の第一の位置Ａ及び第二の位置Ｂとの間での回動を制御するために、プローブ１２０に結合される。プローブ１２０が第一の位置Ａにある時、プローブカバー１４０はプローブ１２０に固定することができ、プローブ１２０が回動して第一の位置Ａから離れると、当接面１１４がプローブカバー１４０の裾部１４２に当接することで、プローブカバー１４０をプローブ１２０から取り外す。【選択図】図２
0003210691.tif 000002
【実用新案登録請求の範囲】
【請求項１】
本体と、
把持部と、
前記把持部の一方側に設けられる当接面と、
回動可能に前記本体に結合されるプローブと、を備えており、前記プローブは、
プローブ本体と、
裾部を含むプローブカバーを固定するために、前記プローブ本体に設けられる固定構造と、
前記プローブの第一の位置及び第二の位置との間での回動を制御するために、前記プローブに結合される制御機構と、を備える体温計であって、
記プローブが前記第一の位置にある時、前記プローブカバーは前記プローブに固定することができ、前記プローブが回動して前記第一の位置から離れると、前記当接面が前記プローブカバーの裾部に当接することで、前記プローブカバーを前記プローブから取り外す、ことを特徴とする体温計。
【請求項２】
前記制御機構が前記プローブの上方に設けられる板体を備えており、前記板体が押動されたとき前記制御機構の回動を連動して、前記プローブを前記第一の位置から離す、ことを特徴とする請求項１に記載の体温計。
【請求項３】
前記制御機構が前記プローブの下方に設けられる押しボタンを備えており、前記押しボタンが押動されたとき前記制御機構の回動を連動して、前記プローブを前記第一の位置から離す、ことを特徴とする請求項１に記載の体温計。
【請求項４】
前記プローブを前記第一の位置にまで回動するように前記制御機構を連動するための付勢手段を更に備える、ことを特徴とする請求項１に記載の体温計。
【請求項５】
前記固定構造が、前記プローブカバーの内壁を掛止めするための止め爪を有する、ことを特徴とする請求項１に記載の体温計。
【考案の詳細な説明】
【技術分野】
【０００１】
本考案は体温計に関し、とりわけプローブカバーを自動的に取り外し可能な体温計に関する。
【背景技術】
【０００２】
耳式体温計は、人体の耳内温度を計測することで、人体の実際の体温を計測する体温計である。耳式体温計は迅速で且つ正確に体温を計測することができることから、耳式体温計は各医療現場にて広く応用されている。被検温者同士の感染を回避するために、耳内温度を計測する前に、耳式体温計のプローブにまずプローブカバーを装着して、耳内温度の計測が完了した後、プローブからプローブカバーを取り外すとともに、新たなプローブカバーに交換する。
【０００３】
しかしながら、従来の耳式体温計にはプローブカバーを取り外す機構がなく、使用者がプローブカバーを取り外す時、通常は手で力を加えて直接プローブカバーをプローブから取り外すしかないことから、上記方式では非効率的であるばかりか、不当に力が加わることでプローブの構造が損傷しかねない。
【考案の概要】
【考案が解決しようとする課題】
【０００４】
本考案では、本体と、プローブと、制御機構とを備える体温計を提供する。前記本体は把持部と、前記把持部の一方側に設けられる当接面とを備える。前記プローブは回動可能に前記本体に結合されており、前記プローブはプローブ本体と、裾部を含むプローブカバーを固定するために、前記プローブ本体に設けられる固定構造とを備える。前記制御機構は、前記プローブの第一の位置及び第二の位置との間での回動を制御するために、前記プローブに結合される。前記プローブが前記第一の位置にある時、前記プローブカバーは前記プローブに固定することができ、プローブが回動して前記第一の位置から離れると、前記当接面が前記プローブカバーの裾部に当接することで、前記プローブカバーを前記プローブから取り外す。
【０００５】
従来技術に比べて、本考案の体温計は制御機構を用いて迅速で且つ効果的にプローブカバーを取り外すことができ、手で力を加えて直接プローブカバーをプローブから取り外す必要はないので、本考案の体温計は使用上において効率が良い。
【図面の簡単な説明】
【０００６】
【図１】本考案の体温計の第の実施例の概略図である。
【図２】図１における体温計のプローブが第一の位置にある概略図である。
【図３】図１における体温計のプローブが第二の位置にある概略図である。
【図４】本考案の体温計の第二の実施例の概略図である。
【図５】本考案の体温計の第二の実施例の概略図である。
【考案を実施するための形態】
【０００７】
図１ないし図３を同時に参照されたい。図１は本考案の体温計の第一の実施例の概略図であり、図２は図１における体温計のプローブが第一の位置にある概略図であり、図３は図１における体温計のプローブが第二の位置にある概略図である。図１に示すように、本考案の体温計１００は本体１１０と、プローブ１２０と、制御機構１３０とを備える。本体１１０は把持部１１２と、把持部１１２の一方側に設けられる当接部１１４とを備える。プローブ１２０は回動可能に本体１１０に結合される。
【０００８】
図２に示すように、プローブ１２０はプローブ本体１２２と、プローブカバー１４０を固定するためにプローブ本体１２２に設けられる固定構造１２４とを備える。固定構造１２４は、プローブカバー１４０の内壁１４４を掛止めするための止め爪とすることができる。プローブカバー１４０は裾部１４２を含む。プローブカバー１４０の裾部１４２は本体１１０の当接面１１４に対応する。制御機構１３０は、第一の位置Ａと第二の位置Ｂとの間でプローブ１２０を回動させるためにプローブ１２０に結合される。制御機構１３０はプローブ１２０の下方に設けられる押しボタン１３２を有する。
【０００９】
図２及び図３に示すように、体温計１００は、制御機構１３０を押動するための付勢手段１５０を更に備えてもよい。押しボタン１３２が押されていない時、付勢手段１５０は制御機構１３０の押しボタン１３２後方に当接することで、プローブ１２０を第一の位置Ａに位置させる。そして押しボタン１３２が押されると、押しボタン１３２は制御機構１３０がプローブ１２０を回動するよう連動して、プローブ１２０を第一の位置Ａから離す。 
【００１０】
プローブ１２０が第一の位置Ａにある時、プローブカバー１４０はプローブ１２０に固定することができる。そしてプローブ１２０が回動して第一の位置Ａから離れる時、プローブ１２０が回動するとともに押しボタン１３２の方向にわずかに移動することで、当接面１１４がプローブ１２０の裾部１４２に当接するので、プローブカバー１４０はプローブ１２０から外れる。
【００１１】
上記した実施での配置によれば、使用者はまず押しボタン１３２から指を離してプローブカバー１４０をプローブ１２０に固定するとともに、体温を測定する。体温測定が完了した後、使用者は更に押しボタン１３２を押下して、プローブカバー１４０をプローブ１２０から外す。よってプローブカバー１４０は迅速で且つ効果的にプローブ１２０から取り外すことができる。
【００１２】
本考案の体温計の第二の実施例の概略図である図４及び図５を同時に参照されたい。本実施例の主な構成要素は上記第一の実施例と略同じであるが、第一の実施例とは以下の点で相違する：体温計１００の制御機構１３０が、プローブ１２０の上方に設けられる板体２３２を備えており、板体２３２が押動されたとき制御機構１２０の回動を連動して、プローブ１２０を第一の位置Ａから離す。体温計１００は、プローブ１２０を第一の位置Ａに位置させるように、制御機構１３０（図示せず）を付勢する付勢手段を更に備えてもよい。
【００１３】
注意すべきは、本考案の体温計の第一の実施例及び第二の実施例の動作方式は類似しており、第一の実施例は押圧の方式でプローブ１２０を移動させるが、第二の実施例では押動の方式でプローブ１２０を移動させるという点のみが異なるということである。
【００１４】
本考案の体温計は耳式体温計又はその他形式の体温計に応用することができる。
【００１５】
従来技術に比べて、本考案の体温計は制御機構を用いて迅速で且つ効果的にプローブカバーを取り外すことができ、手で力を加えて直接プローブカバーをプローブから取り外す必要はないので、本考案の体温計は使用上において効率が良い。
【００１６】
上記したものは本考案の好ましい実施例であって、本考案の実用新案登録請求の範囲により行った等価の変化及び付加は、いずれも本考案のカバー範囲に含まれる。
【符号の説明】
【００１７】
１００          体温計
１１０          本体
１１２          把持部
１１４          当接面
１２０          プローブ
１２２          プローブ本体
１２４          固定構造
１３０          制御機構
１３２          押しボタン
２３２          板体
１４０          プローブカバー
１４２          裾部
１４４          内壁
１５０          付勢手段
Ａ              第一の位置
Ｂ              第二の位置
【図１】
0003210691.tif 000003
【図２】
0003210691.tif 000004
【図３】
0003210691.tif 000005
【図４】
0003210691.tif 000006
【図５】
0003210691.tif 000007